(57)【要約】【課題】トランスポンダ部における波長異常を好適に判定できる波長分割多重伝送システムを提供する。【解決手段】波長分割多重伝送システム１００において、後段の中継ノード２１の制御部１７は、自装置の光チャネルモニタ部１６において前段の送信ノード２０から受信した波長多重信号中のある波長のレベル低下を検出した場合に、送信ノード２０に対してレベル低下情報を通知する。前段の送信ノード２０の制御部１７は、自装置の光チャネルモニタ部１６において中継ノード２１に送信した波長多重信号中の当該波長のレベル低下を検出したとき、中継ノード２１から当該波長のレベル低下情報を受信している場合には、自装置のトランスポンダ部１４で当該波長に異常が生じていると判定する。【選択図】図４
2017038328.tif 000002
【特許請求の範囲】
【請求項１】
第１波長分割多重伝送装置と、前記第１波長分割多重伝送装置よりも後段に配置された第２波長分割多重伝送装置とを備える波長分割多重伝送システムであって、
各波長分割多重伝送装置は、
クライアント信号を複数の異なる波長の光信号に変換するトランスポンダ部と、
前記トランスポンダ部からの複数の波長の光信号を波長多重する多重化部と、
前記トランスポンダ部から前記多重化部に入力される各波長の光レベルを検出する光レベル検出部と、
前段装置からの光信号および前記多重化部からの波長多重信号をアド／ドロップ／スルーする波長選択スイッチ部と、
波長多重信号における各波長の光レベルを検出する光チャネルモニタ部と、
前記光チャネルモニタ部の手前に設けられ、前段装置から受信した波長多重信号と、後段装置に送信した波長多重信号のいずれか一方を前記光チャネルモニタ部に入力させる光スイッチ部と、
当該波長分割多重伝送装置の各構成要素を制御する制御部と、
を備え、
後段の前記第２波長分割多重伝送装置の制御部は、自装置の光チャネルモニタ部において前記第１波長分割多重伝送装置から受信した波長多重信号中のある波長のレベル低下を検出した場合に、前記第１波長分割多重伝送装置に対してレベル低下情報を通知し、
前段の前記第１波長分割多重伝送装置の制御部は、自装置の光チャネルモニタ部において前記第２波長分割多重伝送装置に送信した波長多重信号中の当該波長のレベル低下を検出したとき、前記第２波長分割多重伝送装置から当該波長のレベル低下情報を受信している場合には、自装置の前記トランスポンダ部で当該波長に異常が生じていると判定することを特徴とする波長分割多重伝送システム。
【請求項２】
前記第１波長分割多重伝送装置の制御部は、自装置の前記トランスポンダ部である波長に異常が生じていると判定した場合、前記トランスポンダ部からの当該波長の光信号の出力を停止させることを特徴とする請求項１に記載の波長分割多重伝送システム。
【請求項３】
前記第１波長分割多重伝送装置の制御部は、自装置の前記光チャネルモニタ部において前記第２波長分割多重伝送装置に送信した波長多重信号中の当該波長のレベル低下を検出しているにも関わらず、前記第２波長分割多重伝送装置から当該波長のレベル低下情報を受信していない場合には、自装置の前記光チャネルモニタ部に異常が生じていると判定することを特徴とする請求項１または２に記載の波長分割多重伝送システム。
【請求項４】
前記波長選択スイッチ部は、通常動作時において、前記光チャネルモニタ部からの波長多重信号における各波長の光レベル情報に基づき、各波長の光レベルが均一となるようフィードバック制御を行い、
前記第１波長分割多重伝送装置の制御部は、自装置の前記光チャネルモニタ部に異常が生じていると判定した場合、前記波長選択スイッチ部での各波長の光レベルのフィードバック制御を停止することを特徴とする請求項３に記載の波長分割多重伝送システム。
【請求項５】
第１波長分割多重伝送装置と、前記第１波長分割多重伝送装置よりも後段に配置された第２波長分割多重伝送装置とを備える波長分割多重伝送システムであって、
各波長分割多重伝送装置は、
クライアント信号を複数の異なる波長の光信号に変換するトランスポンダ部であって、各波長の光信号の符号誤りを検出するトランスポンダ部と、
前記トランスポンダ部からの複数の波長の光信号を波長多重する多重化部と、
前記トランスポンダ部から前記多重化部に入力される各波長の光レベルを検出する光レベル検出部と、
前段装置からの光信号および前記多重化部からの波長多重信号をアド／ドロップ／スルーする波長選択スイッチ部と、
波長多重信号における各波長の光レベルを検出する光チャネルモニタ部と、
前記波長選択スイッチ部からの波長多重信号を増幅して後段装置に送信する送信光アンプ部と、
後段装置から受信した波長多重信号を増幅して前記波長選択スイッチ部に入力する受信光アンプ部と、
当該波長分割多重伝送装置の各構成要素を制御する制御部と、
を備え、
前段の第１波長分割多重伝送装置の制御部は、自装置の光チャネルモニタ部において、波長多重信号中のある波長のレベル低下を検出した場合、前記送信光アンプ部のゲインを固定すると共に、後段の第２波長分割多重伝送装置に当該波長の波長異常情報を通知し、
後段の第２波長分割多重伝送装置の制御部は、前記波長異常情報を受信した場合に、前記受信光アンプ部のゲインを固定すると共に、前記トランスポンダ部において当該波長の光信号に符号誤りが発生している場合には、前記第１波長分割多重伝送装置に受信波長異常情報を通知し、
前記第１波長分割多重伝送装置は、前記受信波長異常情報を受信した場合、自装置の前記トランスポンダ部で当該波長に異常が生じていると判定することを特徴とする波長分割多重伝送システム。
【請求項６】
前記第１波長分割多重伝送装置の制御部は、自装置の前記トランスポンダ部である波長に異常が生じていると判定した場合、前記トランスポンダ部からの当該波長の光信号の出力を停止させることを特徴とする請求項５に記載の波長分割多重伝送システム。
【請求項７】
前記第１波長分割多重伝送装置の制御部は、自装置の前記光チャネルモニタ部において前記第２波長分割多重伝送装置に送信した波長多重信号中の当該波長のレベル低下を検出しているにも関わらず、前記第２波長分割多重伝送装置から前記受信波長異常情報を受信していない場合には、自装置の前記光チャネルモニタ部に異常が生じていると判定することを特徴とする請求項５または６に記載の波長分割多重伝送システム。
【請求項８】
前記波長選択スイッチ部は、通常動作時において、前記光チャネルモニタ部からの波長多重信号における各波長の光レベル情報に基づき、各波長の光レベルが均一となるようフィードバック制御を行い、
前記第１波長分割多重伝送装置の制御部は、自装置の前記光チャネルモニタ部に異常が生じていると判定した場合、前記波長選択スイッチ部での各波長の光レベルのフィードバック制御を停止することを特徴とする請求項７に記載の波長分割多重伝送システム。
【発明の詳細な説明】
【技術分野】
【０００１】
本発明は、光伝送路を介して光信号の送受信を行う波長分割多重伝送システムに関する。
【背景技術】
【０００２】
近年、インターネットの急激な普及に伴い、一本の光ファイバに複数の波長の光信号を一括して伝送する波長分割多重（ＷＤＭ：Wavelength Division Multiplexing）伝送システムの開発・導入が進んでいる。現在、一波長当たりの伝送速度は２．４Ｇｂｐｓから１０Ｇｂｐｓが主流であるが、さらに増え続ける情報伝送需要に対応するため、４０Ｇｂｐｓ等のより高速な伝送速度が採用され始めている。
【０００３】
このような波長分割多重伝送システムにおいては、各波長信号を多重化する多重化部（ＭＵＸ）において波長多重された信号を光チャネルモニタ部(ＯＣＭ：Optical Cannel Monitor)により検出して各波長のレベルが一定になるように波長選択スイッチ部（ＷＳＳ：Wavelength Selective Switch)で光レベルを制御するフィードバック制御を行っている。
【０００４】
従来の波長分割多重伝送システムでは、光チャネルモニタ部において検出した各波長の光レベルの増減が繰り返された場合や波長選択スイッチ部でレベル制御を実施しても光チャネルモニタ部での検出レベルが上昇しない場合に波長異常が発生したと判定し、トランスポンダ部の出力を停止することにより他の信号への影響を防止している。
【先行技術文献】
【特許文献】
【０００５】
【特許文献１】特開２０１４−２３９３４０号公報
【発明の概要】
【発明が解決しようとする課題】
【０００６】
しかしながら、上記のような従来の波長分割多重伝送システムでは、光チャネルモニタ部の故障により各波長の光レベルが正常に検出できないような故障が発生した場合においても光チャネルモニタ部の故障とは判断できず、トランスポンダ部の出力を停止してしまうために信号断を発生してしまう可能性がある。
【０００７】
本発明はこうした状況に鑑みてなされたものであり、その目的は、トランスポンダ部における波長異常を好適に判定できる波長分割多重伝送システムを提供することにある。
【課題を解決するための手段】
【０００８】
上記課題を解決するために、本発明のある態様の波長分割多重伝送システムは、第１波長分割多重伝送装置と、第１波長分割多重伝送装置よりも後段に配置された第２波長分割多重伝送装置とを備える波長分割多重伝送システムであって、各波長分割多重伝送装置は、クライアント信号を複数の異なる波長の光信号に変換するトランスポンダ部と、トランスポンダ部からの複数の波長の光信号を波長多重する多重化部と、トランスポンダ部から多重化部に入力される各波長の光レベルを検出する光レベル検出部と、前段装置からの光信号および多重化部からの波長多重信号をアド／ドロップ／スルーする波長選択スイッチ部と、波長多重信号における各波長の光レベルを検出する光チャネルモニタ部と、光チャネルモニタ部の手前に設けられ、前段装置から受信した波長多重信号と、後段装置に送信した波長多重信号のいずれか一方を光チャネルモニタ部に入力させる光スイッチ部と、当該波長分割多重伝送装置の各構成要素を制御する制御部と、を備える。後段の第２波長分割多重伝送装置の制御部は、自装置の光チャネルモニタ部において第１波長分割多重伝送装置から受信した波長多重信号中のある波長のレベル低下を検出した場合に、第１波長分割多重伝送装置に対してレベル低下情報を通知し、前段の第１波長分割多重伝送装置の制御部は、自装置の光チャネルモニタ部において第２波長分割多重伝送装置に送信した波長多重信号中の当該波長のレベル低下を検出したとき、第２波長分割多重伝送装置から当該波長のレベル低下情報を受信している場合には、自装置のトランスポンダ部で当該波長に異常が生じていると判定する。
【０００９】
本発明の別の態様もまた、波長分割多重伝送システムである。この波長分割多重伝送システムは、第１波長分割多重伝送装置と、第１波長分割多重伝送装置よりも後段に配置された第２波長分割多重伝送装置とを備える波長分割多重伝送システムであって、各波長分割多重伝送装置は、クライアント信号を複数の異なる波長の光信号に変換するトランスポンダ部であって、各波長の光信号の符号誤りを検出するトランスポンダ部と、トランスポンダ部からの複数の波長の光信号を波長多重する多重化部と、トランスポンダ部から多重化部に入力される各波長の光レベルを検出する光レベル検出部と、前段装置からの光信号および多重化部からの波長多重信号をアド／ドロップ／スルーする波長選択スイッチ部と、波長多重信号における各波長の光レベルを検出する光チャネルモニタ部と、波長選択スイッチ部からの波長多重信号を増幅して後段装置に送信する送信光アンプ部と、後段装置から受信した波長多重信号を増幅して波長選択スイッチ部に入力する受信光アンプ部と、当該波長分割多重伝送装置の各構成要素を制御する制御部と、を備える。前段の第１波長分割多重伝送装置の制御部は、自装置の光チャネルモニタ部において、波長多重信号中のある波長のレベル低下を検出した場合、送信光アンプ部のゲインを固定すると共に、後段の第２波長分割多重伝送装置に当該波長の波長異常情報を通知し、後段の第２波長分割多重伝送装置の制御部は、波長異常情報を受信した場合に、受信光アンプ部のゲインを固定すると共に、トランスポンダ部において当該波長の光信号に符号誤りが発生している場合には、第１波長分割多重伝送装置に受信波長異常情報を通知し、第１波長分割多重伝送装置は、受信波長異常情報を受信した場合、自装置のトランスポンダ部で当該波長に異常が生じていると判定する。
【００１０】
なお、以上の構成要素の任意の組合せ、本発明の表現を装置、方法、システム、プログラム、プログラムを格納した記録媒体などの間で変換したものもまた、本発明の態様として有効である。
【発明の効果】
【００１１】
本発明によれば、トランスポンダ部における波長異常を好適に判定できる波長分割多重伝送システムを提供できる。
【図面の簡単な説明】
【００１２】
【図１】本発明の実施形態に係る波長分割多重伝送システムで用いられる波長分割多重装置の概略構成を示す図である。
【図２】従来の波長分割多重伝送システムの構成を示す図である。
【図３】波長異常が発生した場合の光信号のイメージを示す図である。
【図４】本発明の実施形態に係る波長分割多重伝送システムを説明するための図である。
【図５】本発明の実施形態に係る波長分割多重伝送システムにおける波長異常判定を説明するための図である。
【図６】光チャネルモニタ部での波長監視処理を示すフローチャートである。
【図７】波長異常検出時の判定処理を示すフローチャートである。
【図８】本発明の別の実施形態に係る波長分割多重伝送システムを説明するための図である。
【図９】本発明の別の実施形態に係る波長分割多重伝送システムにおける波長異常判定を説明するための図である。
【図１０】光チャネルモニタ部での波長監視処理を示すフローチャートである。
【図１１】受信波長異常の判定処理を示すフローチャートである。
【発明を実施するための形態】
【００１３】
図１は、本発明の実施形態に係る波長分割多重伝送システムで用いられる波長分割多重装置１０の概略構成を示す図である。図１に示すように、波長分割多重装置１０は、光アンプ部１１Ｗ，１１Ｅと、多重化部１２Ｗ，１２Ｅと、波長選択スイッチ（ＷＳＳ）部１３Ｗ，１３Ｅと、トランスポンダ部１４Ｗ，１４Ｅと、ＯＳＣ（Optical Supervisory Channel）部１５Ｗ，１５Ｅと、光チャネルモニタ（ＯＣＭ）部１６Ｗ，１６Ｅと、制御部１７と、を備える。なお、波長分割多重装置１０の構成要素の符号には、図１の上方を北としたときに西（Ｗｅｓｔ）側に位置するものに「Ｗ」を、東（Ｅａｓｔ）側に位置するものに「Ｅ」を付してある。波長分割多重装置１０は、Ｗｅｓｔ側に接続された装置（ノード）およびＥａｓｔ側に接続された装置（ノード）と通信可能である。
【００１４】
光アンプ部１１Ｗ，１１Ｅは、波長多重された光信号（以下、「ＷＤＭ信号」とも呼ぶ）を受信して増幅するとともに、ＷＤＭ信号を増幅して送信する機能を有する。多重化部１２Ｗ，１２Ｅは、トランスポンダ部１４Ｗ，１４Ｅからのナローバンド（Narrow Band）光を波長多重するとともに、多重された光を分離する。多重化部１２Ｗ，１２Ｅの入力部には、トランスポンダ部１４Ｗ，１４Ｅからの入力光レベルを検出するためのＰＤ（フォトダイオード）が設けられている。波長選択スイッチ部１３Ｗ，１３Ｅは、光信号をアド／ドロップ／スルー（Add/Drop/Through）する機能を有する。トランスポンダ部１４Ｗ，１４Ｅは、クライアント信号を一旦電気信号に変換し、ナローバンド光に変換するとともに、ナローバンド光からワイドバンド（Wide Band）光へ変換する。トランスポンダ部１４Ｗ，１４Ｅは、受信した光主信号の符号誤りを測定する機能を有する。ＯＳＣ部１５Ｗ，１５Ｅは、ＯＳＣ信号を隣接するノードと送受信する。このＯＳＣ信号は、装置の制御・監視などに使用される信号である。ＯＳＣ信号としては、光主信号とは異なる波長の光信号が用いられる。光チャネルモニタ部は、波長選択スイッチ部１３Ｗ，１３Ｅから出力されるＷＤＭ信号における各波長の光レベルを検出する。この光レベル情報は、波長選択スイッチ部１３Ｗ，１３Ｅにフィードバックされる。波長選択スイッチ部１３Ｗ，１３Ｅは、各波長の光レベルが一定になるよう光レベルの調整を行う。制御部１７は、波長分割多重装置１０の各構成要素部に対する設定制御や監視を実施し、ＯＳＣ信号を介して隣接ノードと監視制御用通信を行う。
【００１５】
次に、本発明の実施形態に係る波長分割多重伝送システムを説明する前に、図２を参照して、従来の波長分割多重伝送システムについて説明する。図２は、従来の波長分割多重伝送システム５００の構成を示す。図２では、ノード（波長分割多重伝送装置）間での信号の流れを片方向（Ｗｅｓｔ側またはＥａｓｔ側）として簡略化して示している。
【００１６】
送信ノード２０のトランスポンダ部１４の各トランスポンダ（ＴＲＰ）からの光信号は多重化部１２で合波され、波長選択スイッチ部１３に入力される。波長選択スイッチ部１３でトランスポンダ部１４からの光信号を多重化部で合波したアド信号と前段装置から送られた中継信号(Through信号)とを合波して、光アンプ部１１により次段装置（中継ノード２１）に転送される。送信ノード２０の光チャネルモニタ部１６ではＷＤＭ信号における各波長の光レベルが検出され、各波長のレベルが均一になるように波長選択スイッチ部１３にて光レベル調整が行われる。
【００１７】
送信ノード２０から送信されたＷＤＭ信号は、中継ノード２１を介して、受信ノード２２で受信される。受信ノード２２では、光伝送路２５から入力されたＷＤＭ信号が光アンプ部１１により増幅された後、波長選択スイッチ部１３でThrough信号とDrop信号に分離され、Drop信号は多重化部１２により波長分離されトランスポンダ部１４に入力される。また、各ノード間では波長の使用状態(ＷＣＳ: Wavelength Channel Service)や故障状態(ＷＣＦ: Wavelength Channel Fail)を波長情報としてＯＳＣ信号により受け渡し、光アンプ部１１での増幅量(ゲイン)を調整している。
【００１８】
図３は、波長異常が発生した場合の光信号のイメージを示す。図３に示すように、トランスポンダ部１４における波長λ２のトランスポンダの出力波長に異常（波長とび）が発生した場合、多重化部１２の波長合分波器(AWG: Arrayed Waveguide Grating)等により波長異常の発生した信号のレベルは落とされるため、波長選択スイッチ部１３には該当波長が入力されない。この場合、多重化部１２のＰＤ１８（図１参照）では入力光レベルを検出しているのに、光チャネルモニタ部１６では該当波長の光レベルが検出されない結果となるため、制御部１７は、波長異常が発生した可能性があると判断する。
【００１９】
図４は、本発明の実施形態に係る波長分割多重伝送システム１００を説明するための図である。図４に示すように、本実施形態において、各ノード（波長分割多重伝送装置）は、光チャネルモニタ部１６の手前に光スイッチ部４０が設けられている。この光スイッチ部４０は、前段ノード（前段装置）から受信したＷＤＭ信号と、後段ノード（後段装置）に送信したＷＤＭ信号のいずれか一方を光チャネルモニタ部１６に入力させる。光スイッチ部４０の切り替えを一定周期(例えば５０ｍｓ〜１００ｍｓ程度)で行うことにより、前段ノードから受信したＷＤＭ信号と後段ノードに送信したＷＤＭ信号両方の波長光レベルを監視できる。
【００２０】
図５は、本発明の実施形態に係る波長分割多重伝送システム１００における波長異常判定を説明するための図である。図４および図５を参照し、波長分割多重伝送システム１００の動作について説明する。ここでは、送信ノード２０を前段ノード、中継ノード２１を後段ノードとする。
【００２１】
まず、前段の送信ノード２０のトランスポンダ部１４において、ある波長（ここではλ２とする）に異常が発生した場合の動作について説明する。この場合、後段の中継ノード２１の光チャネルモニタ部１６においても波長λ２のレベル低下が検出される。後段の中継ノード２１の制御部１７は、自装置の光チャネルモニタ部１６において前段の送信ノード２０から受信したＷＤＭ信号中の波長λ２のレベル低下を検出した場合、送信ノード２０に対してレベル低下情報を通知する。このレベル低下情報の通知は、ＯＳＣ信号を用いて行われる。前段の送信ノード２０の制御部１７は、自装置の光チャネルモニタ部１６において中継ノード２１に送信したＷＤＮ信号中の波長λ２のレベル低下を検出したとき、一定時間後段ノードからの通知を監視し、中継ノード２１から波長λ２のレベル低下情報を受信している場合には、自装置のトランスポンダ部１４で波長λ２に異常が生じていると判定する。
【００２２】
さらに、送信ノード２０の制御部１７は、自装置のトランスポンダ部１４において、ある波長（λ２）に異常が生じていると判定した場合、トランスポンダ部１４からの波長λ２の光信号の出力を停止させる。波長分割多重伝送装置の光アンプ部１１では、通常、波長数をカウントして増幅量を決定しているため、ある波長に異常が生じて当該波長の光レベルが低下した場合には、増幅量が変化し、他の波長の光信号に影響を与える可能性がある。本実施形態に係る波長分割多重伝送システム１００では、ある波長に異常が生じていると判定された場合に当該波長の光信号の出力が停止されるので、他の波長の光信号への影響を防止することができる。また、送信ノード２０の制御部１７は、自装置のトランスポンダ部１４である波長に異常が生じていると判定した場合、上位の監視装置に警報を通知する。
【００２３】
次に、前段の送信ノード２０のトランスポンダ部１４において、ある波長（λ２）に異常が発生したとする。この場合、送信ノード２０では波長λ２のレベル低下が検出されるが、後段の中継ノード２１の光チャネルモニタ部１６では検出されない。送信ノード２０の制御部１７は、自装置の光チャネルモニタ部１６において中継ノード２１に送信したＷＤＭ信号中の波長λ２のレベル低下を検出しているにも関わらず、中継ノード２１から波長λ２のレベル低下情報を受信していない場合には、自装置の光チャネルモニタ部１６に異常が生じていると判定する。この場合、送信ノード２０の制御部１７は、上位の監視装置に警報を通知すると共に、光チャネルモニタ部１６からの情報に基づいて行う波長選択スイッチ部１３での光レベルのフィードバック制御を停止する。これにより、光チャネルモニタ部１６の異常が波長選択スイッチ部１３での光レベル制御に与える影響を抑制できる。
【００２４】
一方、中継ノード２１の光チャネルモニタ部１６において、ある波長（λ２）のレベル低下を検出しているにも関わらず、レベル低下の通知を受け取った送信ノード２０の光チャネルモニタ部１６ではレベル低下を検出していない場合には、送信ノード２０の制御部１７は、中継ノード２１の光チャネルモニタ部１６に異常が発生していると判定し、レベル低下の通知は無視する。この場合、中継ノード２１と受信ノード２２との間での同様の判定処理により、中継ノード２１の光チャネルモニタ部１６の正常性が判定される。
【００２５】
図６は、光チャネルモニタ部１６での波長監視処理を示すフローチャートである。
【００２６】
波長選択スイッチ部１３を送信側に（すなわち、後段ノードに送信したＷＤＭ信号が光チャネルモニタ部１６に入力されるよう）切り替えたとき（Ｓ１０）、光チャネルモニタ部１６は、波長異常が生じているか否か確認する（Ｓ１１）。波長異常が検出された場合（Ｓ１２のＹ）、光チャネルモニタ部１６で波長異常検出を起動する（Ｓ１３）。一方、波長異常が検出されない場合（Ｓ１２のＮ）、Ｓ１４に進む。
【００２７】
波長選択スイッチ部１３を受信側に（すなわち、前段ノードから受信したＷＤＭ信号が光チャネルモニタ部１６に入力されるよう）切り替えたとき（Ｓ１４）、光チャネルモニタ部１６は、波長異常が生じているか否か確認する（Ｓ１５）。波長異常が検出された場合（Ｓ１６のＹ）、前段装置に波長が異常であることを通知（Ｓ１７）した後、Ｓ１０に戻る。一方、波長異常が検出されない場合（Ｓ１６のＮ）、前段装置に波長が正常であることを通知（Ｓ１８）した後、Ｓ１０に戻る。
【００２８】
図７は、波長異常検出時の判定処理を示すフローチャートである。光チャネルモニタ部１６において、ある波長の異常を検出した場合（Ｓ２０）、制御部１７は光アンプ部１１のゲイン制御を停止する（Ｓ２１）。その後、後段装置から当該波長での波長異常通知があるか否か確認する（Ｓ２２）。
【００２９】
後段装置から当該波長での波長異常通知が無い場合（Ｓ２２のＮ）、一定時間が経過したか否か判定する（Ｓ２３）。一定時間が経過していない場合（Ｓ２３のＮ）、Ｓ２２に戻る。一方、一定時間が経過した場合（Ｓ２３のＹ）、光チャネルモニタ部１６の故障と判断する（Ｓ２４）。
【００３０】
後段装置から当該波長での波長異常通知がある場合（Ｓ２２のＹ）、制御部１７は、当該波長の波長異常と判断し、当該波長のトランスポンダの出力を停止し（Ｓ２５）、光アンプ部１１のゲイン制御を再開する（Ｓ２６）。
【００３１】
図８は、本発明の別の実施形態に係る波長分割多重伝送システム８００を説明するための図である。図８に示すように、本実施形態においては、上述の波長分割多重伝送システム１００と異なり、光チャネルモニタ部１６の手前に光スイッチ部は設けられていない。
【００３２】
図９は、本発明の別の実施形態に係る波長分割多重伝送システム８００における波長異常判定を説明するための図である。図８および図９を参照し、波長分割多重伝送システム８００の動作について説明する。ここでは、ここでは、送信ノード２０でアド（Add）された波長λ２の光信号が、中継ノード２１でスルー（Through）された後、受信ノード２２でドロップ（Drop）される場合を考える。
【００３３】
送信ノード２０の制御部１７は、自装置の光チャネルモニタ部１６において、波長多重信号中のある波長（λ２）のレベル低下を検出した場合、通常モードから波長異常チェックモードに遷移する。送信ノード２０の制御部１７は、波長選択スイッチ部１３での各波長の光レベルのフィードバック制御を停止し、送信側の光アンプ部１１のゲインを固定する。そして、送信ノード２０の制御部１７は、ＯＳＣ信号を使用して、下流の装置に波長飛び発生の危険性のある波長を波長異常情報(ＷＣＡ：Wavelength Channel Alarm)として転送する。波長異常情報は、例えば図９に示すように、ＯＳＣ信号のＷＣＡ情報領域におけるλ２に対応するビットを「０」から「１」に変更することで実現できる。
【００３４】
ＷＣＡ情報を受け取った中継ノード２１は、波長飛びによる他波長への影響を防止するために、受信側と送信側の光アンプ部１１のゲイン制御を保持し、ＷＣＡ情報を受信ノード２２に送る。
【００３５】
受信ノード２２の制御部１７は、ＷＣＡ情報を受信した場合に、受信側の光アンプ部１１のゲインを固定する。なお、波長λ２の光信号は受信ノード２２でドロップされているので、ＷＣＡ情報はリセット（すなわち、ＯＳＣ信号のＷＣＡ領域におけるλ２に対応するビットを「１」から「０」に変更）して後段の装置に転送する。
【００３６】
受信ノード２２の制御部１７は、ＷＣＡ情報を受信したとき、自装置のトランスポンダ部１４において波長λ２の光信号に符号誤りが発生している場合には、上流の装置に向けて受信波長異常情報（ＲＷＣ：Receive Wavelength Channel Fail）を転送する。受信波長異常情報は、例えば図９に示すように、ＯＳＣ信号のＲＷＣ情報領域におけるλ２に対応するビットを「０」から「１」に変更することで実現できる。
【００３７】
波長異常チェックモードに遷移した送信ノード２０では、下流の装置からのＲＷＣ情報を一定時間監視し、受信ノード２２にて符号誤りが発生している場合には、波長λ２が異常と判断する。また、送信ノード２０の制御部１７は、自装置のトランスポンダ部１４において、波長λ２に異常が生じていると判定した場合、トランスポンダ部１４からの波長λ２の光信号の出力を停止させる。また、送信ノード２０の制御部１７は、ＷＣＡ情報をリセット（すなわち、ＯＳＣ信号のＷＣＡ領域の全ビットを「０」に変更）することで、自装置および下流の装置の波長異常チェックモードを解除する。
【００３８】
一方、波長異常チェックモードに遷移した後、下流の装置からＲＷＣ情報が転送されてこない場合、送信ノード２０の制御部１７は、波長λ２に異常はなく、自装置の光チャネルモニタ部１６に異常が発生していると判断する。この場合、送信ノード２０の制御部１７は、警報を上位の監視装置に通知し、波長異常チェックモードを保持することにより、送信波長に対する誤ったレベル制御による信号断を防止する。その後、送信ノード２０の光チャネルモニタ部１６が交換または修理された場合には、ＷＣＡ情報をリセットすることにより、自装置および下流の装置の波長異常チェックモードを解除する（すなわち、通常モードに戻る）。
【００３９】
図１０は、光チャネルモニタ部１６での波長監視処理を示すフローチャートである。
【００４０】
まず、制御部１７は、前段装置からのＷＣＡ中のドロップ波長のビットをリセットする（Ｓ３０）。次に、制御部１７は、光チャネルモニタ部１６において、波長異常が生じているか否か確認する（Ｓ３１）。ある波長に異常が検出された場合（Ｓ３２のＹ）、前段装置からのＷＣＡ情報中の当該波長のビットを「１」にセット（Ｓ３３）した後、Ｓ３４に進む。一方、どの波長にも異常が検出されない場合（Ｓ３２のＮ）、Ｓ３４に進む。Ｓ３４では、制御部１７は、後段の装置にＷＣＡ情報を送信する。
【００４１】
次に、制御部１７は、ＷＣＡ情報のビットが全て「０」か確認する（Ｓ３５）。ＷＣＡ情報のビットが全て「０」の場合（Ｓ３５のＹ）、Ｓ３０に戻る。一方、ＷＣＡ情報のビットが全て「０」ではない場合（Ｓ３５のＮ）、送信側の光アンプ部１１のゲイン制御を停止する（Ｓ３６）。
【００４２】
その後、制御部１７は、後段の装置からのＲＷＣ情報を確認し（Ｓ３７）、波長異常を検出した波長と後段からのＲＷＣ情報が一致するか否か判定する（Ｓ３８）。
【００４３】
波長異常を検出した波長と後段からのＲＷＣ情報が一致する場合（Ｓ３８のＹ）、制御部１７は、当該波長の波長異常と判断し、トランスポンダの出力を停止する（Ｓ３９）。そして、制御部１７は、当該波長を波長異常監視対象から除外する（Ｓ４０）。
【００４４】
一方、波長異常を検出した波長と後段からのＲＷＣ情報が一致しない場合（Ｓ３８のＮ）、制御部１７は、波長異常検出から一定時間経過している否か判定する（Ｓ４１）。
【００４５】
波長異常検出から一定時間経過していない場合（Ｓ４１のＮ）、Ｓ３０に戻る。一方、波長異常検出から一定時間経過している場合（Ｓ４１のＹ）、制御部１７は、自装置の光チャネルモニタ部１６の故障と判断し（Ｓ４２）、波長監視を停止する（Ｓ４３）。
【００４６】
図１１は、受信波長異常の判定処理を示すフローチャートである。制御部１７は後段からのＲＷＣ情報中のアド（Add）波長のビットをリセットする（Ｓ５０）。次に、制御部１７は、トランスポンダの符号誤り状態を確認する（Ｓ５１）。符号誤りがある場合（Ｓ５２のＹ）、後段からのＲＷＣ情報中に当該波長のビットをセットし（Ｓ５３）、前段の装置にＲＷＣ情報を送信する（Ｓ５４）。一方、符号誤りが無い場合（Ｓ５２のＮ）、リセットされたＲＷＣ情報を送信する（Ｓ５４）。
【００４７】
上述した波長分割多重伝送システム８００は、各波長分割多重装置１０に光スイッチ部４０を設ける必要がないため、波長分割多重伝送システム１００と比較してコスト面で有利である。
【００４８】
以上説明したように、本発明の実施形態に係る波長分割多重伝送システム１００、８００によれば、波長分割多重装置において波長異常発生を検出した場合に、トランスポンダ部１４での異常か、光チャネルモニタ部１６の異常による誤検出なのかを的確に判断し、以降の主信号疎通への影響を防止できる。主信号への影響がない場合には、主信号疎通を継続することにより、信頼性の高いネットワークを提供できる。
【００４９】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【符号の説明】
【００５０】
１０  波長分割多重装置、  １１  光アンプ部、  １２  多重化部、  １３  波長選択スイッチ部、  １４  トランスポンダ部、  １６  光チャネルモニタ部、  １７  制御部、  ２０  送信ノード、  ２１  中継ノード、  ２２  受信ノード、  ４０  光スイッチ部、  １００，８００  波長分割多重伝送システム。
【図１】
2017038328.tif 000003
【図２】
2017038328.tif 000004
【図３】
2017038328.tif 000005
【図４】
2017038328.tif 000006
【図５】
2017038328.tif 000007
【図６】
2017038328.tif 000008
【図７】
2017038328.tif 000009
【図８】
2017038328.tif 000010
【図９】
2017038328.tif 000011
【図１０】
2017038328.tif 000012
【図１１】
2017038328.tif 000013